【手続補正書】
【提出日】平成23年6月23日(2011.6.23)
【手続補正１】
【補正対象書類名】特許請求の範囲
【補正対象項目名】全文
【補正方法】変更
【補正の内容】
【特許請求の範囲】
【請求項１】
−電解槽に接続して設けられ、電解処理の少なくとも１つの処理パラメータを定期的に繰り返し測定する少なくとも１つのセンサと、
−該センサで定期的に繰り返し測定した処理パラメータを解釈し、前記電解槽における電解処理の状態を表す状態情報を、前記センサで定期的に繰り返し測定した処理パラメータを使用して確立する、データ処理手段を含むデータ処理装置と、
−前記センサで定期的に繰り返し測定した処理パラメータを前記センサから前記データ処理装置へと送信する処理パラメータ送信システムと、
−前記電解槽における電解処理の状態を表示する、前記電解槽に接続して設けられた表示装置とを含み、
前記電解槽における金属電気精錬処理や金属電解採取処理などの電解処理の状態を観測して提示する機構において、
−戻りチャンネル機構によって、前記データ処理装置のデータ処理手段で確立した前記電解槽における電解処理の状態を表す状態情報を、前記データ処理装置から前記電解槽に接続して設けられた前記表示装置へと送信し、
−前記表示装置は、前記データ処理装置のデータ処理手段で確立した前記電解槽における電解処理の状態を表す状態情報を提示する提示手段を含み、
−前記表示装置は、前記データ処理装置のデータ処理手段で確立した状態情報を受信し、前記データ処理装置のデータ処理手段で確立した前記電解槽における電解処理の状態を表す状態情報を前記提示手段によって提示するように設けられ、
前記処理パラメータ送信システムは、
−少なくとも１つのセンサと通信して、少なくとも１つのセンサから処理パラメータを受信し、処理パラメータを送信するように設けられた第１の電子装置と、
−いくつかの第１の電子装置と通信して、いくつかの第１の電子装置から処理パラメータを受信し、処理パラメータを前記データ処理装置へと送信するように設けられた第２の電子装置とを含み、
前記表示装置は、該表示装置が接続して設けられた前記電解槽の状態のみを表示するように構成された、槽ごとの表示装置であることを特徴とする機構。
【請求項２】
請求項１に記載の機構において、
−前記データ処理装置のデータ処理手段は、前記センサで測定した処理パラメータと、所定のおよび／または計算した理論上の処理パラメータとの差異を算出して、差異の傾向を確立するように設けられ、
−前記データ処理装置のデータ処理手段は、数学モデルを使用して前記差異および前記差異の傾向を調査し、前記差異および前記差異の傾向の解釈を確立するように設けられ、
−前記データ処理装置のデータ処理手段は、前記差異および前記差異の傾向の解釈に基づいて、ファジーおよび／またはロジック推論アルゴリズムを利用して、前記電解槽における電解処理の状態を表す状態情報を確立するように設けられることを特徴とする機構。
【請求項３】
請求項１または２に記載の機構において、前記表示装置は、前記電解槽における電解処理を表す状態情報を視覚的に示す提示手段を含むことを特徴とする機構。
【請求項４】
請求項１ないし３のいずれかに記載の機構において、前記表示装置は、前記電解槽における電解処理を表す状態情報を１つまたは複数の音響信号によって示す提示手段を含むことを特徴とする機構。
【請求項５】
請求項１ないし４のいずれかに記載の機構において、前記表示装置の提示手段は、前記状態情報のレベルに応じた信号を提示するように設けられることを特徴とする機構。
【請求項６】
請求項１ないし５のいずれかに記載の機構において、
−前記データ処理装置は、前記状態情報とともに、前記状態情報に関連する槽電圧、電解温度、電解槽の循環または電解質成分などの電解処理の一部を示す付加情報を前記表示装置へと送信するように設けられ、
−該表示装置は、必須ではないが好ましくは、前記付加情報を視覚的にまたは音響信号によって前記状態情報とともに示す前記付加情報用の提示手段を含むことを特徴とする機構。
【請求項７】
請求項１ないし６のいずれかに記載の機構において、
−第１の電子装置または第２の電子装置は、位置決めデータを前記処理パラメータに追加するように設けられて、前記位置決めデータが前記電解槽の位置を示し、
−前記位置決めデータを前記戻りチャンネル機構で使用して、前記電解槽における電解処理を表す状態情報を前記データ処理装置から前記電解槽に接続して設けられた表示装置へと送信することを特徴とする機構。
【請求項８】
請求項１ないし７のいずれかに記載の機構において、
−前記データ処理装置の前記データ処理手段は、確立された前記状態情報、測定パラメータ、ならびにファジーおよび／またはロジック推論アルゴリズムに基づいて、前記電解槽の長期間にわたる状況情報を確立するように設けられ、
−前記戻りチャンネル機構は、前記データ処理装置のデータ処理手段で確立した状況情報を、前記電解槽に接続して設けられた表示装置に送信するように設けられ、
−該表示装置は、前記データ処理装置で確立した状況情報を表示する手段を含み、
−前記表示装置は、前記データ処理装置で確立した状況情報を受信し、前記データ処理装置で確立した状況情報を表示するように設けられることを特徴とする機構。
【請求項９】
請求項８に記載の機構において、前記表示装置は状況情報を視覚的に提示する第２の提示手段を含むことを特徴とする機構。
【請求項１０】
請求項８または９に記載の機構において、前記表示装置は状況情報を１つまたは複数の音響信号として提示する第２の提示手段を含むことを特徴とする機構。
【請求項１１】
請求項８ないし１０のいずれかに記載の機構において、前記表示装置の第２の提示手段は前記状況情報のレベルに応じた信号を与えるように設けられることを特徴とする機構。
【請求項１２】
請求項８ないし１１のいずれかに記載の機構において、
−前記データ処理装置は、前記状況情報とともに、前記状態情報に関連する、槽電圧、電解温度、電解槽の循環または電解質成分などの電解処理の一部を示す付加情報を前記表示装置へと送信するように設けられ、
−該表示装置は、前記付加情報を示す提示手段を含むことを特徴とする機構。
【請求項１３】
請求項８ないし１２のいずれかに記載の機構において、
−前記センサまたは第１の電子装置は、位置決めデータを前記処理パラメータに加えるように設けられて、該データが前記電解槽の位置を示し、
−前記位置決めデータを前記戻りチャンネル機構で使用して、前記電解槽における電解処理を表す状態情報を前記データ処理装置から前記電解槽に接続して設けられた前記表示装置へと送信することを特徴とする機構。
【請求項１４】
請求項１ないし１３のいずれかに記載の機構において、前記処理パラメータ送信システムは、
−少なくとも１つのセンサと通信して少なくとも１つのセンサから処理パラメータを受信し、処理パラメータを送信するように設けられた第１の電子装置と、
−少なくとも１つの第１の電子装置と通信して少なくとも１つの第１の電子装置から処理パラメータを受信し、処理パラメータを送信するように設けられた第２の電子装置と、
−少なくとも１つの第２の電子装置と通信して少なくとも１つの第２の電子装置から処理パラメータを受信し、処理パラメータを前記データ処理装置へと送信するように設けられた第３の電子装置とを含むことを特徴とする機構。
【請求項１５】
請求項１ないし１４のいずれかに記載の機構において、前記表示装置は、前記電解槽に固定してもしくは取り外し可能に取り付けられ、または該電解槽に組み込まれることを特徴とする機構。
【請求項１６】
電解槽における金属電気精錬処理や金属電解採取処理などの電解処理の状態を観測して提示する方法であって、
−少なくとも１つの処理パラメータを前記電解槽に設けられた少なくとも１つのセンサによって定期的に繰り返し測定し、
−処理パラメータを前記センサからデータ処理装置へと送信し、処理パラメータを前記データ処理装置において受信し、
−処理パラメータを前記データ処理装置によって解釈して、前記電解槽における電解処理の状態を表す状態情報を前記処理パラメータを用いて確立する方法において、
−前記データ処理装置で確立した状態情報を提示する提示手段を含む表示装置を前記電解槽に接続して設け、
−前記データ処理装置で確立した状態情報を、前記データ処理装置から前記電解槽に接続して設けられた表示装置へと送信し、
−前記データ処理装置で確立した状態情報を前記表示装置において受信し、前記状態情報を前記表示装置によって提示し、
処理パラメータをセンサから第１の電子装置へと送信し、処理パラメータを前記第１の電子装置において受信し、
−処理パラメータをいくつかの第１の電子装置から第２の電子装置へと送信し、処理パラメータを前記第２の電子装置において受信し、
−処理パラメータを前記第２の電子装置から前記データ処理装置へと送信し、
前記表示装置が、該表示装置が接続して設けられた前記電解槽の状態のみを提示するよう構成された、槽ごとの表示装置として設けられていることを特徴とする方法。
【請求項１７】
請求項１６に記載の方法において、
−前記データ処理装置のデータ処理手段によって、前記センサで測定した処理パラメータと、所定のおよび／または計算した理論上の処理パラメータとの差異を算出して、差異の傾向を確立し、
−前記データ処理装置のデータ処理手段によって、数学モデルを使用して前記差異および前記差異の傾向を解釈し、
−前記データ処理装置のデータ処理手段によって、前記差異および前記差異の傾向の解釈を確立し、
−前記データ処理装置のデータ処理手段によって、ファジーおよび／またはロジック推論アルゴリズムを用いて前記電解槽における電解処理を表す状態情報を確立することを特徴とする方法。
【請求項１８】
請求項１６または１７に記載の方法において、前記状態情報を前記表示装置によって視覚的に提示することを特徴とする方法。
【請求項１９】
請求項１６ないし１８のいずれかに記載の方法において、前記状態情報を前記表示装置によって１つまたは複数の音響信号として提示することを特徴とする方法。
【請求項２０】
請求項１６ないし１９のいずれかに記載の方法において、前記状態情報を前記表示装置の前記提示手段によって、前記状態情報に応じてさまざまに提示することを特徴とする方法。
【請求項２１】
請求項１６ないし２０のいずれかに記載の方法において、
−前記データ処理装置で、前記状態情報とともに、前記状態情報に関連する槽電圧、電解温度、電解槽の循環または電解質成分などの電解処理の一部を示す付加情報を前記表示装置へと送信し、
−前記付加情報を表示する手段を含む表示装置を前記電解槽に接続して設け、
−前記付加情報を前記表示装置において前記状態情報とともに提示することを特徴とする方法。
【請求項２２】
請求項１６ないし２１のいずれかに記載の方法において、
−前記データ処理装置へと送信する処理パラメータに、前記電解槽の位置を示す位置決めデータを追加し、
−前記位置決めデータを使用して、前記電解槽における電解処理を表す状態情報を送信し、該状態情報を前記電解槽に接続して設けられた表示装置へと送ることを特徴とする方法。
【請求項２３】
請求項１６ないし２２のいずれかに記載の方法において、
−前記データ処理装置のデータ処理手段によって、確立された状態情報、処理パラメータ、ならびにファジーおよび／またはロジック推論アルゴリズムに基づいて、前記電解槽の長期間にわたる状況情報を確立し、
−前記データ処理装置で確立した状況情報を表示する手段を含む表示装置を前記電解槽に接続して設け、
−前記データ処理装置のデータ処理手段で確立した状況情報を、前記電解槽に接続して設けられた表示装置へと送信し、
−前記データ処理装置で確立した状況情報を前記表示装置によって受信し、前記電解槽の状況情報を前記表示装置によって表示することを特徴とする方法。
【請求項２４】
請求項２３に記載の方法において、前記状況情報を前記表示装置において視覚的に提示することを特徴とする方法。
【請求項２５】
請求項２３または２４に記載の方法において、前記状況情報を前記表示装置によって１つまたは複数の音響信号として提示することを特徴とする方法。
【請求項２６】
請求項２３ないし２５のいずれかに記載の方法において、前記状況情報を前記表示装置の前記提示手段によって前記状態情報に応じてさまざまに提示することを特徴とする方法。
【請求項２７】
請求項２３ないし２６のいずれかに記載の方法において、
−前記データ処理装置で、前記状況情報とともに、前記状況情報に関連する槽電圧、電解温度、電解槽の循環または電解質成分などの電解処理の一部を示す付加情報を前記表示装置へと送信し、
−前記付加情報を表示する手段を含む表示装置を前記電解槽に接続して設け、
−前記付加情報を前記表示装置において前記状況情報とともに提示することを特徴とする方法。
【請求項２８】
請求項２３ないし２７のいずれかに記載の方法において、
−前記データ処理装置へと送信する処理パラメータに、前記電解槽の位置を示す位置決めデータを追加し、
−前記位置決めデータを使用して、前記電解槽における電解処理を表す状況情報を送信し、該状況情報を前記電解槽に接続して設けられた前記表示装置に送ることを特徴とする方法。
【請求項２９】
請求項１６ないし２８のいずれかに記載の方法において、
−処理パラメータをセンサから第１の電子装置へと送信し、処理パラメータを第１の電子装置において受信し、
−処理パラメータを第１の電子装置から第２の電子装置へと送信し、処理パラメータを第２の電子装置において受信し、
−処理パラメータを第２の電子装置から第３の電子装置へと送信し、処理パラメータを第３電子装置において受信し、
−処理パラメータを第２の電子装置からデータ処理装置へと送信することを特徴とする方法。
【請求項３０】
請求項１６ないし２９のいずれかに記載の方法において、前記表示装置が前記電解槽に固定してもしくは取り外し可能に設けられ、または該電解槽に組み込まれていることを特徴とする方法。